(57)【要約】【課題】取り扱い性に優れたイヤリング１を提供する。【解決手段】本発明のイヤリング１は、耳Ｅに取り付けられる上環状体１１と、装飾具２が取り付けられる下環状体２１とを備える。それぞれの開口１２，２２が互い違いに向くようにして、上環状体１１と下環状体２１とを上下に連接させる。各環状体１１，２１は、弧状の本体部１３，２３と、本体部１３，２３の一部を支点にして開閉回動可能な開閉片部１４，２４とを備える。上開閉片部１４と下開閉片部２４とは互いに連動して開閉回動する。【選択図】図６
2018038475.tif 000002
【特許請求の範囲】
【請求項１】
耳に取り付けられる上環状体と、装飾具が取り付けられる下環状体とを備えたイヤリングであって、
それぞれの開口が互い違いに向くようにして、前記上環状体と前記下環状体とを上下に連接させ、前記各環状体は、本体部と、前記本体部の一部を支点にして開閉回動可能な開閉片部とを備え、上開閉片部と下開閉片部とは互いに連動して開閉回動する、
イヤリング。
【請求項２】
前記上開閉片部と前記下開閉片部とは、前記両環状体の連接部分に設けた共通軸回りに開閉回動する構成であり、前記上開閉片部が上本体部の周方向に沿うように広がって開き回動するのに対して、前記下開閉片部が下本体部の周方向に交差するようにねじれて開き回動する、
請求項１に記載のイヤリング。
【請求項３】
前記上開閉片部には、開閉回動の過程で支点超えして前記両開閉片部を開き姿勢と閉じ姿勢とに切り換えて維持する弾性部材を設けている、
請求項２に記載のイヤリング。
【発明の詳細な説明】
【技術分野】
【０００１】
本発明は、装飾具（チャームとも言える）を着脱可能なイヤリングに関する。
【背景技術】
【０００２】
従来、イヤリングにおいて、その本体に様々な装飾具を付け替えて使用することはよく知られている。この種のイヤリングとしては、例えばイヤリング本体にバネ式のハサミ型金具を取り付け、ハサミ型金具に装飾具を挟持させるもの（特許文献１参照）や、スライド操作で開閉する環状部材をイヤリング本体に取り付け、環状部材に装飾具を装着させるもの（特許文献２参照）等が挙げられる。
【先行技術文献】
【特許文献】
【０００３】
【特許文献１】実開昭６０−６３２１４号公報
【特許文献２】実開昭６１−１５６５０９号公報
【発明の概要】
【発明が解決しようとする課題】
【０００４】
しかし、前記従来の構成では、イヤリング本体に対する装飾具の取り付け作業と、耳たぶに対するイヤリング（イヤリング本体に装飾具を装着したもの）の取り付け作業とを別々に実行せざるを得ず、作業全体として手間がかかるという問題があった。しかも、特許文献１の構成ではハサミ型金具で装飾具を挟持するため、装飾具を紛失し易いという問題があった。また、特許文献２の構成はピアス式のイヤリングであるため、耳たぶの裏側において取り付けピンの先端部にキャッチを装着するのが極めて面倒であった。
【課題を解決するための手段】
【０００５】
本発明は、上記のような現状を検討して改善を施したイヤリングを提供することを技術的課題としている。
【０００６】
請求項１の発明は、耳に取り付けられる上環状体と、装飾具が取り付けられる下環状体とを備えたイヤリングであって、それぞれの開口が互い違いに向くようにして、前記上環状体と前記下環状体とを上下に連接させ、前記各環状体は、本体部と、前記本体部の一部を支点にして開閉回動可能な開閉片部とを備え、上開閉片部と下開閉片部とは互いに連動して開閉回動するというものである。
【０００７】
本発明のイヤリングにおいて、前記上開閉片部と前記下開閉片部とは、前記両環状体の連接部分に設けた共通軸回りに開閉回動する構成であり、前記上開閉片部が上本体部の周方向に沿うように広がって開き回動するのに対して、前記下開閉片部が下本体部の周方向に交差するようにねじれて開き回動する構成にしても構わない。
【０００８】
また、本発明のイヤリングにおいて、前記上開閉片部には、開閉回動の過程で支点超えして前記両開閉片部を開き姿勢と閉じ姿勢とに切り換えて維持する弾性部材を設けても構わない。
【発明の効果】
【０００９】
本発明によると、耳に取り付けられる上環状体と、装飾具が取り付けられる下環状体とを備えたイヤリングであって、それぞれの開口が互い違いに向くようにして、前記上環状体と前記下環状体とを上下に連接させ、前記各環状体は、本体部と、前記本体部の一部を支点にして開閉回動可能な開閉片部とを備え、上開閉片部と下開閉片部とは互いに連動して開閉回動するものであるから、前記イヤリングに対する前記装飾具の着脱作業と、耳に対する前記イヤリングの着脱作業とを同時並行的に実行でき、着脱作業の手間を大幅に低減できる。従って、取り扱い性に優れたイヤリングを提供できる。
【図面の簡単な説明】
【００１０】
【図１】実施形態における閉じた状態のイヤリングの概略正面図である。
【図２】開いた状態のイヤリングの概略正面図である。
【図３】開いた状態のイヤリングの概略一側面図である。
【図４】開いた状態のイヤリングの概略他側面図である。
【図５】耳たぶにイヤリングを装着した状態の説明図である。
【図６】装着時における開いた状態のイヤリングを示す説明図である。
【図７】装着した状態のイヤリングを示す説明図である。
【図８】別例において装着のために開いた状態のイヤリングを示す説明図である。
【図９】別例において装着した状態のイヤリングを示す説明図である。
【発明を実施するための形態】
【００１１】
次に、本発明を具体化した実施形態を図面に基づき説明する。なお、以下の説明において必要に応じて特定の方向や位置を示す用語（例えば「左右」「上下」等）を用いる場合は、イヤリング１を装着したユーザー（人）の顔の向きを基準としている。これらの用語は説明の便宜のために用いたものであり、本発明の技術的範囲を限定するものではない。
【００１２】
図１〜図４に示すように、実施形態のイヤリング１は、耳たぶＥＬ等に開けたピアス穴ＰＨ（図６及び図７参照）を用いて装着される、いわゆるピアス式のものである。イヤリング１は、耳Ｅ（図５〜図７参照）に取り付けられる上環状体１１と、装飾具２（図５〜図７参照）が取り付けられる下環状体２１とを備えている。
【００１３】
上環状体１１と下環状体２１とは、それぞれの開口１２，２２が互い違いに向くようにして上下に連接している。なお、以下の説明において、上環状体１１の構成要素に「上」の文言を付し、下環状体２１の構成要素に「下」の文言を付す場合がある。例えば上環状体１１の開口１２については上開口１２と称し、下環状体２１の開口２２については下開口２２と称する場合がある。イヤリング１を耳たぶＥＬに装着した状態では、上開口１２が前後方向を向き、下開口２２が左右方向を向くことになる（図５及び図７参照）。
【００１４】
なお、上下環状体１１，２１は一般に、金合金、銀合金又はプラチナ合金といった金属製のものである。必要に応じて各環状体１１，２１に模様を刻みつけたりすることも可能である。
【００１５】
各環状体１１，２１は、略弧状の本体部１３，２３と、本体部１３，２３の一部を支点にして開閉回動可能な開閉片部１４，２４とを備えている。
【００１６】
上環状体１１を構成する上本体部１３は、縦長の基部１５と、基部１５の上端側から横向きに突出する略棒状のピン部１６とを有している。横向きのピン部１６が、例えば耳たぶＥＬに開けたピアス穴ＰＨ（図６及び図７参照）に挿入される。基部１５の内面側には、内向きに凹んだ肉抜き溝１７を形成している。
【００１７】
上開閉片部１４は略Ｊ字状の形態になっている。上本体部１３における基部１５の下端側に、上開閉片部１４の下端側を回動可能に軸支している。上開閉片部１４を閉じ回動させると、上本体部１３におけるピン部１６の突端側と上開閉片部１４の上端側とが係合し合って、一つの輪（環状体）を形成するように構成している。
【００１８】
実施形態では、上開閉片部１４の下端側を二股状に形成している。上開閉片部１４における下端二股部の内面に、相対向して突出する軸ピン１９を一体形成している。上本体部１３における基部１５の下端側には、前後方向に貫通した枢支穴１８を形成している。上開閉片部１４側の一対の軸ピン１９を上本体部１３における基部１５側の枢支穴１８に嵌め込むことによって、上本体部１３に対して上開閉片部１４を開閉回動可能に支持させている。
【００１９】
一対の軸ピン１９が上開閉片部１４の開閉回動の支点になっている。これら両軸ピン１９の軸線方向は、上開口１２の開口方向（イヤリング１を耳たぶＥＬに装着した状態では前後方向）に沿っている。従って、上開閉片部１４は上本体部１３の周方向に沿って開閉回動する。例えば上開閉片部１４は、開き回動時に上本体部１３の周方向に沿うように広がる動きをする。上開閉片部１４の内面上端側に、上本体部１３におけるピン部１６の突端側が嵌まる嵌合穴２０を形成している。
【００２０】
下環状体２１を構成する下本体部２３は略Ｃ字状の形態になっている。このため、下開閉片部２４を開き回動させて装飾具２のリング部３を下本体部２３に引っ掛け、装飾具２を吊り下げ状態に保持しても、装飾具２が下本体部２３から脱落するおそれは極めて少ない。上本体部１３における基部１５の下端側に、下本体部２３の基端側を一体的に連接している。そして、上開閉片部１４における下端二股部の一方に、下開閉片部２４の基端側を一体的に連接している。
【００２１】
このように、上下本体部１３，２３が一体であり且つ上下開閉片部１４，２４が一体であるため、上開閉片部１４における軸ピン１９回りの開閉回動に連動して、下開閉片部２４も開閉回動する。一対の軸ピン１９は、上下開閉片部１４，２４の開閉回動のための共通の支点（共通軸）になっている。上開閉片部１４と共に下開閉片部２４を閉じ回動させると、下本体部２３の先端側に形成した係止爪２５と下開閉片部２４の先端側に形成した係止爪２６とが係合し合って、一つの輪（環状体）を形成するように構成している。上本体部１３における基部１５の下端側（下本体部２３の基端側を含む）並びに上開閉片部１４の下端側（下開閉片部２４の基端側を含む）付近が、両環状体１１，２１の連接部分に相当する。
【００２２】
前述の通り、両軸ピン１９の軸線方向は、上開口１２の開口方向（イヤリング１を耳たぶＥＬに装着した状態では前後方向）に沿っていて、下開口２２の開口方向（イヤリング１を耳たぶＥＬに装着した状態では左右方向）とは交差する関係にある。従って、下開閉片部２４は下本体部２３の周方向に交差するように開閉回動する。例えば下開閉片部２４は、開き回動時に下本体部２３の周方向に交差するようにねじれる動きをする。
【００２３】
上開閉片部１４の内面側には、開閉回動の過程で支点超えして両開閉片部１４，２４を開き姿勢と閉じ姿勢とに切り換えて維持する弾性部材３０を設けている。弾性部材３０はばね鋼のような弾性を有する金属片製のものであり、基端側を上開閉片部１４の内面側に固定している。上本体部１３における基部１５の下端側のうち上開閉片部１４の下端二股部の間に位置する外周部は、弾性部材３０の先端自由端側に対峙している。基部１５下端側の外周部には、縦当接面１５ａと横当接面１５ｂとこれら両当接面１５ａ，１５ｂをつなぐ支点角部１５ｃとを形成している。
【００２４】
上下開閉片部１４，２４が開き姿勢のときは、弾性部材３０の先端自由端側が縦当接面１５ａに押圧当接し、上下開閉片部１４，２４が閉じ姿勢のときは、弾性部材３０の先端自由端側が横当接面１５ｂに押圧当接している。
【００２５】
上下開閉片部１４，２４を開き回動させると、横当接面１５ｂに押圧当接していた弾性部材３０の先端自由端側が支点角部１５ｃを乗り越えて支点超えし、縦当接面１５ａに押圧当接する。その結果、弾性部材３０の弾性付勢力によって上下開閉片部１４，２４が開き姿勢に維持される。逆に、上下開閉片部１４，２４を閉じ回動させると、縦当接面１５ａに押圧当接していた弾性部材３０の先端自由端側が支点角部１５ｃを乗り越えて支点超えし、横当接面１５ｂに押圧当接する。その結果、弾性部材３０の弾性付勢力によって上下開閉片部１４，２４が閉じ姿勢に維持される。
【００２６】
従って、弾性部材３０の存在によって、上下開閉片部１４，２４を開き姿勢のままで保持したり閉じ姿勢のままで保持したりすることが簡単に行える。弾性部材３０の存在は、イヤリング１に対する装飾具２の着脱作業性や、耳Ｅに対するイヤリング１の着脱作業性の向上に貢献しているのである。
【００２７】
さて、実施形態のイヤリング１を耳たぶＥＬに装着する場合は、上下開閉片部１４，２４を連動して軸ピン１９回りに開き回動させ、耳たぶＥＬに開けたピアス穴ＰＨに、上本体部１３のピン部１６を耳Ｅの表側から差し入れて貫通させる（図６参照）。このとき、上開閉片部１４は耳Ｅの裏側寄りに位置する。上下開閉片部１４，２４を開き姿勢にした上であれば、ピン部１６をピアス穴ＰＨに差し入れる前に、装飾具２のリング部３を下本体部２３に引っ掛けて装飾具２を吊り下げ状態に保持してもよいし、ピン部１６をピアス穴ＰＨに差し入れた後に、装飾具２のリング部３を下本体部２３に引っ掛けて装飾具２を吊り下げ状態に保持してもよい。
【００２８】
その後、上下開閉片部１４，２４を連動して軸ピン１９回りに閉じ回動させれば、ピン部１６の突端側と上開閉片部１４の上端側とが係合し合って一つの輪（上環状体１１）を形成し、耳たぶＥＬへのイヤリング１の装着が完了すると共に、下本体部２３の係止爪２５と下開閉片部２４の係止爪２６とが係合し合って一つの輪（下環状体２１）を形成し、装飾具２が下環状体２１から外れ不能に保持されるのである（図５及び図７参照）。
【００２９】
一般に、装飾具２のリング部３は、装飾具２のうち宝石等が露出する装飾面４を前向きにして飾れるように、その開口５を前後方向に向けている。イヤリング１を耳たぶＥＬに装着した状態では下開口２２が左右方向を向いているため、この種の装飾具２を下環状体２１に吊り下げた場合、下環状体２１と装飾具２のリング部３とが交差して連結されることになり、装飾具２の装飾面４がイヤリング１を装着したユーザーの顔の向きと同じ前を向くことになる。従って、装飾具２付きイヤリング１の装飾性や美感が高められる。また、例えばペンダントに取り付けられた装飾具２には必ずリング部３が設けられているので、ユーザーが所有するペンダントの装飾具２を実施形態のイヤリング１用として流用することも簡単に行える。
【００３０】
実施形態のイヤリング１を耳たぶＥＬから取り外す場合は、上下開閉片部１４，２４を連動して軸ピン１９回りに開き回動させ、耳たぶＥＬに開けたピアス穴ＰＨから、上本体部１３のピン部１６を引き抜けばよい。このとき、上下開閉片部１４，２４を開き姿勢にした上であれば、ピン部１６をピアス穴ＰＨから引き抜く前に、装飾具２のリング部３を下本体部２３から抜いて装飾具２を取り外してもよいし、ピン部１６をピアス穴ＰＨから引き抜いた後に、装飾具２のリング部３を下本体部２３から外して装飾具２を取り外してもよい。
【００３１】
上記の記載並びに図面から明らかなように、実施形態のイヤリング１によると、上開閉片部１４と下開閉片部２４とが互いに連動して開閉回動するから、イヤリング１に対する装飾具２の着脱作業と、耳Ｅに対するイヤリング１の着脱作業とを同時並行的に実行でき、着脱作業の手間を大幅に低減できる。従って、取り扱い性に優れたイヤリング１を提供できる。また、それぞれの開口１２，２２が互い違いに向くようにして、上環状体１１と下環状体２１とを上下に連接させているから、装飾具２の装飾面４がイヤリング１を装着したユーザーの顔の向きと同じ前向きになり、装飾具２付きイヤリング１の装飾性や美感が向上する。更に、イヤリング１に対する装飾具２の着脱が容易なので、例えばペンダント等の装飾具２をイヤリング１用として流用することも簡単である。
【００３２】
図８及び図９は、本発明を具体化したイヤリング５１の別例を示している。当該別例のイヤリング５１はいわゆるねじ式と呼ばれるものである。以下に説明する別例のイヤリング５１において、基本構造及び作用が前述の実施形態と同じものには、そのまま同じ符号を付してその詳細な説明を省略する。
【００３３】
別例のイヤリング５１では、上本体部１３のピン部１６をなくし、耳たぶＥＬの一側面に当接する耳たぶ受け部５２を、基部１５の上端側に取り付けている。上開閉片部１４の上端側には雌ねじ穴５３を形成している。上開閉片部１４の雌ねじ穴５３には、雄ねじ部材５４をねじ込んでいる。雄ねじ部材５４の一端側には、耳たぶＥＬの他側面に当接する耳あて５５を設け、雄ねじ部材５４の他端側には、ねじ込み操作用の摘まみ５６を設けている。上開閉片部１４を閉じ回動させると、上本体部１３の耳たぶ受け部５２と上開閉片部１４の耳あて５５とで耳たぶＥＬを挟持し合って、擬制的な一つの輪（環状体）を形成するように構成している。
【００３４】
別例の構成を採用した場合も、前述の実施形態と同様の作用効果が得られる。すなわち、耳たぶＥＬの厚さに応じて、予め摘まみ５６を回して雄ねじ部材５４のねじ込み量を調節しておけば、上下開閉片部１４，２４を開閉させるだけで、耳Ｅに対してイヤリング５１を簡単に着脱できる。もちろん、イヤリング５１に対する装飾具２の着脱作業も同時並行的に実行できる。
【００３５】
なお、本発明における各部の構成は図示の実施形態に限定されるものではなく、本発明の趣旨を逸脱しない範囲で種々変更可能である。
【符号の説明】
【００３６】
Ｅ  耳
ＥＬ  耳たぶ
ＰＨ  ピアス穴
１  イヤリング
２  装飾具
３  リング部
４  装飾面
５  開口
１１  上環状体
１２  上開口
１３  上本体部
１４  上開閉片部
１５  基部
１５ａ  縦当接面
１５ｂ  横当接面
１５ｃ  支点角部
１６  ピン部
１７  肉抜き溝
１８  枢支穴
１９  軸ピン
２０  嵌合穴
２１  下環状体
２２  下開口
２３  下本体部
２４  下開閉片部
２５  係止爪（本体側）
２６  係止爪（開閉側）
３０  弾性部材
【図１】
2018038475.tif 000003
【図２】
2018038475.tif 000004
【図３】
2018038475.tif 000005
【図４】
2018038475.tif 000006
【図５】
2018038475.tif 000007
【図６】
2018038475.tif 000008
【図７】
2018038475.tif 000009
【図８】
2018038475.tif 000010
【図９】
2018038475.tif 000011